(57)【要約】家庭用ネットワーク上の電子コンテンツ情報のバックアップを選択的に作成するための方法を提案する。この方法は、コンテンツ情報の相対重要性を決定し、決定された相対重要性の制御下でバックアップを記憶する。
2007521552.tif 000002
【特許請求の範囲】
【請求項１】
家庭用ネットワーク上の電子コンテンツ情報のバックアップを選択的に作成することを可能にする方法であって、
前記コンテンツ情報の相対重要性を決定する段階と、
前記決定された相対重要性の制御下で前記バックアップを記憶する段階と、
を有する方法。
【請求項２】
前記相対重要性を決定する段階は、前記コンテンツ情報のソースを決定する段階を有する請求項１記載の方法。
【請求項３】
前記相対重要性を決定する段階は、前記コンテンツ情報のファイル形式を決定する段階を有する請求項１記載の方法。
【請求項４】
前記相対重要性を決定する段階は、前記コンテンツ情報の意味属性を決定する段階を有する請求項１記載の方法。
【請求項５】
前記決定された相対重要性に対応する記憶モードを決定する段階を有する請求項１記載の方法。
【請求項６】
前記記憶モードを決定する段階は、前記家庭用ネットワークが利用可能な複数の記憶構成要素のうちの関連の１つの記憶構成要素を決定する段階を有する請求項５記載の方法。
【請求項７】
前記記憶モードを決定する段階は、前記家庭用ネットワークが利用可能な複数の記憶構成要素のうちの様々な記憶構成要素の間で複数のコピーを分配するか否か決定する段階を有する請求項５記載の方法。
【請求項８】
どのコンテンツ情報が、バックアップコピーを有するのか全体像を管理する段階を有する請求項１記載の方法。
【請求項９】
家庭用ネットワーク上の電子コンテンツ情報のバックアップの選択的作成の制御のためのソフトウェアであって、
前記コンテンツ情報の相対重要性を決定し、
前記決定された相対重要性の制御下で前記バックアップの記憶を制御するよう動作可能であるソフトウェア。
【請求項１０】
前記相対重要性は、前記コンテンツ情報のソースに依存する請求項９記載のソフトウェア。
【請求項１１】
前記相対重要性は、前記コンテンツ情報のファイル形式に依存する請求項９記載のソフトウェア。
【請求項１２】
前記相対重要性は、前記コンテンツ情報の意味属性に依存する請求項９記載のソフトウェア。
【請求項１３】
前記決定された相対重要性に対応する記憶モードを決定するよう動作可能である請求項９記載のソフトウェア。
【請求項１４】
前記家庭用ネットワークが利用可能な複数の記憶構成要素に基づいて前記記憶モードを決定するよう動作可能である請求項１３記載のソフトウェア。
【請求項１５】
前記家庭用ネットワークが利用可能な複数の記憶構成要素のうちの様々な記憶構成要素の間で複数のコピーを分配するかどうか決定するよう動作可能である請求項１３記載のソフトウェア。
【請求項１６】
どのコンテンツ情報が、バックアップコピーを有するのか全体像を管理するよう動作可能である請求項９記載のソフトウェア。
【発明の詳細な説明】
【発明の詳細な説明】
【０００１】
［発明の分野］
本発明は、ネットワーク、特に家庭用ネットワーク上でのコンテンツ情報の管理に係る。
［背景技術］
多くの人々は、例えば、ハードディスクドライブ（ＨＤＤ）に基づいた多数の非移動式又は固定の記憶デバイスを有するデバイスのネットワークを有する将来の家庭を想像する。ユーザは、このネットワーク内にコンテンツを記憶し、実際のロケーションについて気に掛けることなくそのコンテンツにアクセスすることができる。例えば、「ELECTRONIC  CONTENT  GUIDE  RENDERS  CONTENT  RESOURCES  TRANSPARENT」なる名称で２０００年５月１１日にEugene  Shteyn及びRuud  Rothのために出願された米国特許出願番号第０９／５６８，９３２号１を参照されたい。この文書は、本願に参考として組み込む。この文書は、公開特許ＷＯ０１８６９４８として公開された。この文書は、家庭用ネットワーク上のデータ管理システムに関する。このシステムは、ネットワーク上の様々なリソースにおいて入手可能なコンテンツ情報を記述するデータを収集する。このデータは、単一のメニュに組み合わされ、それにより、ユーザがコンテンツをそのリソースに関係なく選択することを可能にする。
［発明の概要］
ユーザがユーザのコンテンツ、例えば、ユーザの全デジタル写真及びカムコーダ記録等、更に、例えば、保険、税に関する個人的な電子書類や、親戚、友人等の手紙のやり取りの電子コピーをこのネットワーク上に記憶することが予想される。ユーザが、ネットワークのハードウェア及びソフトウェアの正常機能にますます依存する場合、インストーラ及び製造業者は、コンテンツデータが簡単になくならないよう何らかの保証を提供することが必要である。しかし、ソフトウェア及びハードウェアコンポーネントは、予測不可能に機能しなくなることが知られており、これは問題である。例えば、ＨＤＤの機械的な部分は疲労し、結果として、記憶されたデータが実質的に回復できなくなる（一般的なユーザには費用がかかりすぎる）クラッシュする。ハードディスククラッシュは、今までよりは頻繁ではなくなっているが、依然として発生し、ＣＥ製品の寿命（〜５年）のうち無視できない数の顧客がこの問題を経験することが予想されている。ブロードキャストから記録されたコンテンツをなくすことはあまり大きな問題ではない。何故なら、コピーがどこでも入手可能だからである。例えば、ユーザは、インターネットか又はレコーダのピアツーピア（Ｐ２Ｐ）ネットワークをブラウズして、もう１つのコピーを見つけることができる。Ｐ２Ｐネットワークアーキテクチャの簡単な説明については、例えば、「Stretching  The  Fabric  Of  The  Net:  Examining  the  present  and  potential  of  peer-to-peer  technologies」（Software  &  Information  Industry  Association  (SIIA),  2001）を参照されたい。しかし、ユーザの個人的なコレクションをなくすことは、ユーザ、従って、デバイスの製造業者及びインストーラにとって深刻な問題である。というのは、デバイスの製造業者及びインストーラは、責任を負うべきであると考えられ、実際そうでなかったとしても、エンドユーザの認識ではそうであると考えられるからである。
【０００２】
従って、発明者は、家庭用ネットワークの分散的な性質を利用して、ユーザにとって重要なコンテンツ情報のバックアップを制御可能に記憶することを提案する。「バックアップ」という用語は、オリジナルコンテンツ情報の１つ以上の追加のコピーを意味する。オリジナルとコピーは共に、全てがうまくいっている場合は、ネットワーク上で利用可能である。システムは、どのコンテンツに価値があり、従ってバックアップを取る必要があるのか自動的に判断することが好適である。コンテンツのソース及びファイル形式が、ユーザによって認識されるようにコンテンツの価値を決定するために考慮に入れられ得る。
【０００３】
より具体的には、本発明は、家庭用ネットワーク上のコンテンツ情報のバックアップを選択的に作成することを可能にする方法を提供する。この方法は、ユーザにとってのそのコンテンツ情報の相対重要性を決定する段階を有する。次に、その決定された相対重要性の制御下でバックアップが家庭用ネットワーク上に記憶される。決定された相対重要性は、例えば、どのデバイスにコンテンツ情報を記憶するか及びどの品質で記憶するかに関連する特定の記憶モードに関連付けられることが好適である。コンテンツ情報の相対重要性は、様々な方法で決定可能である。例えば、相対重要性は、コンテンツを最初に供給したソース又はソース媒体、及び／又はファイル形式に依存する。
【０００４】
本発明の１つの実施例では、バックアップ作成処理は、家庭用ネットワークに存在するソフトウェアを介して制御される。ソフトウェアは、例えば、手動による無効に関するユーザインタラクションが、ソフトウェアがユーザの嗜好から学習している間にユーザの観点から処理をより信頼度があるようにするという点で適応性があることが好適である。家庭用ネットワークは、ソフトウェアアプリケーションがネットワークのレジストリを介してネットワーク上の様々な記憶構成要素を決定するためにＵＰｎＰ家庭用ネットワークを有することが好適である。他のソフトウェアアーキテクチャも、ネットワーク上で利用可能な機能のインベントリを提供する限り適切である。
【０００５】
別の実施例では、バックアップ処理は、例えば、インターネット上のサーバといった家庭用ネットワークの外部にあるサーバに委託されることが可能である。バックアップコピーは、家庭用ネットワークの外部の記憶装置に自動的に記憶され、サービスプロバイダからリースされ得る。セキュリティは、例えば、適切な暗号化及びパスワード保護によって与えられる。銀行及び他の信託金融機関は、このような種類のサービスを提供することができる。何故なら、これらの機関は既に、物理的な対象物（書類、貴金属、芸術作品等）の安全格納を提供しているからである。
【０００６】
従って、本発明は、特に、予想されるハードウェア及びソフトウェア問題を鑑みて電子コンテンツを安全にするアーカイビング処理を提供する。本発明は、ユーザにとっての相対重要性の尺度としてのソース及び／又は形式及び／又は意味解析に基づいて記憶装置間でコンテンツの複製を選択的に且つ自動的に分配することを可能にする。
［詳細な実施例］
本発明を、例示的に及び添付図面を参照しながら、更に説明する。
【０００７】
本発明は、重要な電子コンテンツ情報のバックアップを記憶するために家庭用ネットワークシステムの分散性質を利用することに関する。システムは、どのコンテンツ情報に価値があり、従って、バックアップを取る必要があるのか自動的に決定する。コンテンツ情報のソースは、ユーザによって認識されるような価値を決定するための重要な方法の１つである。
【０００８】
システムは、コンテンツ情報を、ユーザの価値観に応じて分類する。可能なカテゴリは、高価値（例えば、ユーザは、このコンテンツ情報アイテムを元に戻すことが難しいのでこのコンテンツ情報アイテムがなくなることについて非常に不快に思う）、中価値（ユーザはこのコンテンツをなくすことについて不快に思うが、このコンテンツは元に戻すことができる）、及び低価値（ユーザはこのコンテンツ情報アイテムをなくしても意識しない又は構わない）である。他のカテゴリ化基準も可能であり、より大きいカテゴリのセットを使用することが可能である。問題は、システムが特定のコンテンツ情報アイテムをどのカテゴリに入れるのか決定する方法と、システムが様々なカテゴリを取り扱う方法である。
【０００９】
何がユーザによって生成されたコンテンツであるか決定するために考慮に入れられる問題の例は、ソース媒体（例えば、ＲＯＭ／Ｒ／ＲＷディスク、ＤＶテープ、半導体）及びソース形式である。カテゴリ化は、最初は、例えば、コンテンツのソース及び／又はタイプに基づく。時間の経過と共に、コンテンツアイテムは、それらのコンテンツアイテムが使用された方法又は明白なユーザの選択によって他のカテゴリに移動し得る。以下は、カテゴリ化の幾つかの特定の例である。ブロードキャストから記録されたコンテンツは、ユーザがこのコンテンツの記録をプログラムした場合は、「中」として分類される。例えば、ユーザプロファイルによってシステムの自動推薦によりブロードキャストから記録されたコンテンツは、「低」として分類される。公開されたコンテンツは、「中」として分類され、これは、例えば、以下に説明するようにディスクタイプから決定可能である。ユーザによって生成されたコンテンツは、「高」として分類され、例えば、ソース媒体及びコーディング形式から決定可能である。例えば、ＤＶ（デジタルビデオ）テープ又は半導体からのコンテンツは、ユーザによって生成されたコンテンツとして考えられることが可能である。これは、一般的に、絶対に公開されないコンテンツである。対照的に、ＲＯＭディスク上のコンテンツは、公開されたコンテンツであり、従って、通常は、失われても取り戻すことが可能である。Ｒ／ＲＷ（リライタブル）ディスクについては、ユーザ自身のコンテンツであるのか、公で入手可能な材料からコピーされたコンテンツであるのか判断するのがより困難である。このことを判断する１つの方法は、ディスク上のコンテンツの形式を判断することである。例えば、ＢＤ−ＲＥディスク（光リライタブルディスク用のブルーレイディスク形式）では、ネイティブＤＶ形式で記憶されたコンテンツは明らかにカムコーダからのものである。ブロードキャスト形式の１つに従って記憶されたコンテンツは、ブロードキャストからである。しかし、セルフ・エンコーディング・ストリーム形式（ＳＥＳＦ）、即ち、ブルーレイに使用される記録形式によって記憶されたコンテンツは、アナログソースからなので、ブロードキャスト又はカムコーダのどちらでもあり得る。この不明瞭な場合、他の方法が必要である。更なる詳細を以下に説明する。同様に、ＤＶＤビデオ形式を有するＤＶＤ＋ＲＷディスクは、公開されたＤＶＤディスクのコピーである可能性が高い。ＤＶＤ＋ＶＲ（ＶＲは、「ビデオレコーダ」を意味し、ＤＶＤ＋ＶＲは、ＤＶＤ用の記録規格である）形式を含むＤＶＤ＋ＲＷは、アナログソースからの記録であり、従って、不明瞭な特徴である。詳細は以下を参照されたい。同様に、写真を有するＣＤについては、名前と構造に基づいてそのＣＤが刊行されたものであるか（一般的に、写真のリストだけではなくより多くを含む）又はデジタルカメラ／スキャナから生成されたものであるか判断可能であるべきである。
【００１０】
ソース及び／又は形式からコンテンツ情報がユーザによって生成されたものであるか否かすぐに明らかではない場合があり得る。この場合、システムは次に、コンテンツが公開されたものであるか又はユーザによって生成されたものであるか（例えばカムコーダ）判断するために実際のコンテンツを分析する必要がある。コンテンツ分析（例えば、見出し検出又はコマーシャル検出）を行うシステムが存在する。カムコーダ記録は、公開されたコンテンツよりもオーディオ及びビデオの両方について様々な特性を有するので、どのコンテンツが公開されたものでどのコンテンツがユーザによって生成されたものであるのか判断することは、これらの従来の技術を使用して実現可能である。
【００１１】
このカテゴリ化は確実であるわけではないが、有用であるためにはそうである必要はない。これらのカテゴリ化アルゴリズムを非常に慎重であるよう設定し、判断に迷いがある場合は、より高いカテゴリを選択するようにすることも可能である。更に、カテゴリ化の確実性の度合いも、カテゴリと共に記録されることが可能である。このことは、例えば、より確実なコンテンツアイテムに高い優先順位を与えることを可能にする。
【００１２】
カテゴリ化に基づいてシステムが取る動作を次に説明する。「高」と分類されるコンテンツは、ネットワークにおいてバックアップされ、それにより、一次コピー（オリジナル）が失われた場合でも、バックアップが入手可能である。記憶空間を節約するために、低ビットレート版が記憶されるが、同時に、そのコンテンツがレンダリングされるときには品質低下がユーザには明らかではないよう配慮される。「中」と分類されるコンテンツは、例えば、比較的新しいＨＤＤ、従って故障する危険性が低い信頼性のある領域内に記憶される。「低」と分類されるコンテンツは、より古いディスク上に記憶可能である。恐らく悪いセクタを既に示す古いディスク上に記憶可能である。分散システムにおいて記憶されるメタデータは、どのコンテンツがバックアップされたのかを示し、また、低ビットレートバックアップの場合、一次コピーとバックアップコピーを示すことが好適である。
【００１３】
図１は、本発明における家庭用ネットワークシステム１００のブロック図である。システム１００は、データ記憶能力を有する様々な構成要素を有する。図示する実施例では、システム１００は、記憶部Ｉを有する構成要素１０２と、記憶部ＩＩを有する構成要素１０４と、記憶部ＩＩＩを有する構成要素１０６を有する。システム１００は更に、データソースとして機能する構成要素１０８及び１１０を有する。システム１００は更に、例えば、信頼のおける局の制御下にあるインターネット上のサーバである家庭用ネットワーク１００の外側にある記憶能力を提供する外部サーバ１１２への接続を有する。構成要素１０２乃至１１２は、データネットワーク１１４を介してデータ通信が可能である。
【００１４】
例えば、構成要素１０２乃至１０６は、新しいＨＤＤ、古いＨＤＤ、及び、ＤＶＤ＋ＲＷドライブを、ＰＣ、ＨＤＤに基づいたジュークボックス、ＨＤＤ及び他のＣＥ機器が具備されるセットトップボックスといったより大きなエンティティの一部としてそれぞれ有する。ここで重要なのは、システム１００は、互いに物理的に独立している分散された記憶機能を有し、データネットワーク１１４を介してアクセス可能であるという点である。構成要素１０８乃至１１０はそれぞれ、例えば、カムコーダ、デジタルチューナ、デジタルカメラ、ラップトップ、又は他の移動可能計算デバイス、ＭＰ３プレイヤ等の１つを有する。
【００１５】
ユーザが、例えば、ソース１１０に、新しいコンテンツ情報をネットワーク１００上に記憶するためにそのコンテンツ情報をネットワーク１００上のダウンロードするようにさせると、例えば、ＰＣ１１８上の記憶制御ソフトウェアアプリケーション１１６が、ソースのタイプを判断する。アプリケーション１１６は、これを、例えば、ＵＰｎＰを使用して行う。ソース１１０がＵＰｎＰデバイスである場合、記憶制御アプリケーション１１６は、どのような種類のソースであるのか、どのような種類の能力を有するのかについてソース１１０にクエリすることが可能である。このアプローチは、ＵＰｎＰのデバイス発見メカニズムを使用する。ファイル形式のタイプは、例えば、ＭＩＭＥ（ＭＩＭＥは、マルチメディア・インターネット・メール拡張を意味し、ＲＦＣ２０４５及びＲＦＣ２０４６に記載される）タイプを用いて決定される。更に、http://www.iana.org/assignments/media-typesも参照されたい。
【００１６】
記憶制御アプリケーション１１６は、ＵＰｎＰデバイス発見メカニズムを使用して、ネットワーク上にどのＵＰｎＰデバイスがあるか、それらの機能は何であるか見つける。アプリケーションは、一旦デバイスについての全ての情報を収集すると、各デバイスの記述に基づいて、アプリケーションがそのデバイスをバックアップ媒体として使用可能であるか否かを判断する。アプリケーション１１６によって使用される所定のテーブル、又は、ユーザインタラクションの履歴ログに基づいて、アプリケーションは、どのタイプのデバイスが、特定のタイプのコンテンツのためのバックアップとして使用するのに適しているのかを知っている。アプリケーションがバックアップしたいコンテンツの重要性は、コンテンツのソースを用いて、更に、デバイス発見メカニズムとファイルのｍｉｍｅタイプも用いて決定される。例えば、ファイルがｍｉｍｅタイプ「．ｊｐｇ」を有し、ソースがデジタルカメラである場合、アプリケーションは、このファイルを重要であると分類する。次に、アプリケーションは、ＨＤＤといった適切なバックアップデバイスを選択する。尚、ＤＶＤ＋ＲＷドライブも基本的に使用することが可能である。しかし、ネットワーク上でリムーバブル記憶媒体を使用することは幾らか問題であり得る。何故なら、正しいディスクがドライブ内であることを確実にするユーザインタラクションを必要とし、また、コンテンツを取出しするときは、ユーザは、同じディスクを戻さなければいけないからである。一般的に、提案した種類の自動バックアップには、ネットワークにおける固定の又は不動の記憶装置、一般的に、ＨＤＤを使用し、それにより、バックアップは自動的であり、ユーザにとってトランスペアレントである。
【００１７】
ユニバーサル・プラグ・アンド・プレイ（ＵＰｎＰ）ソフトウェアアーキテクチャについて、ＵＰｎＰは、分散デバイス及び複数のベンダーからのソフトウェアアプリケーション間での単純なアドホック通信を可能にするよう設計されるオープンネットワークアーキテクチャである。ＵＰｎＰは、インターネット技術を利用し、それを、非管理家庭用ネットワークにおける使用に拡大する。ＵＰｎＰは、家庭オートメーション、オーディオ／ビデオ、プリンタ、スマートフォン等を含む家庭用電化製品を制御することを目的とする。ＵＰｎＰは、制御点（ＣＰ）と被制御デバイス（ＣＤ）を区別する。ＣＰは、被制御デバイスによって提供される機能にユーザがアクセスすることを可能にする、例えば、ＰＣ上で実行されるブラウザ、ワイヤレスパッド等を有する。ＵＰｎＰは、ＣＰによるデバイスの発見及び制御のためのプロトコルを定義する。ＵＰｎＰは、オーディオビデオデバイスによる使用のためのストリーミングメカニズムは定義しない。一部の発見及び制御プロトコルは、ＵＰｎＰ規格の一部であるが、その他は、ＩＥＴＦ（インターネット・エンジニアリング・タスク・フォース）によって個別に標準化される。ＣＰとデバイス間のインタラクションは、インターネット・プロトコル（ＩＰ）に基づく。しかし、ＵＰｎＰは、非ＩＰデバイスが、ＩＰ適合デバイス上で実行されるソフトウェアコンポーネントによってプロキシされることを可能にする。被制御デバイス（ＣＤ）プロキシと呼ばれるそのようなコンポーネントは、プロキシされたデバイスへのＵＰｎＰインタラクションの変換と転送の責任を有する。ＵＰｎＰデバイスは、最低レベルのサービスを有するサブデバイスの階層性を有する。デバイス及びサービスは共に標準化されたタイプを有する。デバイスタイプは、デバイスが有することが可能なサブデバイス又はサービスを決定する。サービスタイプは、サービスが有することが可能な動作及び状態変数を定義する。状態変数は、デバイスの状態をモデリングし、動作はＣＰによって起動されることが可能であり、それにより状態を変更する。状態変数及び動作の記述は、ＳＣＰ（サービス制御プロトコル）と呼ばれる。ＵＰｎＰデバイスは、ＸＭＬ文書の形で自分自身の記述を与える。この文書は、とりわけ、そのデバイスがサポートするサービスタイプを有する。任意選択的に、デバイスは、ＣＰによる直接ＵＩ制御のための表示サーバを有し得る。現在、ＵＰｎＰは、ＤＨＣＰサーバがない場合にＩＰデバイスが一意のアドレスを得るための手段を与えるＡｕｔｏＩＰに依存する。ＵＰｎＰは、ＳＳＤＰ（シンプル・サービス発見プロトコル）と呼ばれる、ＵＤＰマルチキャストに基づいた発見プロトコルを定義する。ＳＳＤＰは、デバイスが提供するサービスの告知を定期的にマルチキャストする該デバイスに基づく。告知は、サービス動作が送られるべきＵＲＬ、即ち、制御サーバを有する。更に、ＣＰは、特定のデバイス又はサービスタイプ、或いはインスタンスについてＵＰｎＰネットワークにクエリし得る。ＵＰｎＰは、ＧＥＮＡ（ジェネリック・イベント・ノーティフィケーション・アーキテクチャ）に依存し、それにより、ＴＣＰに基づいて状態変数サブスクリプション及び変化通知メカニズムを決定する。ＣＰが、それが使用したいサービスを（ＳＳＤＰを介して）検出した後、ＣＰは、ＳＣＰ動作を制御サーバＵＲＬに送信することによって、又は、状態変数をクエリすることによってサービスを制御する。動作は、ＨＴＴＰ  ＰＯＳＴメッセージを用いて送信される。これらのメッセージの本体は、ＳＯＡＰ（シンプル・オブジェクト・アクセス・プロトコル）規格によって定義される。ＳＯＡＰは、ＸＭＬに基づいて遠隔手順呼出しメカニズムを定義する。
【００１８】
以下を参照として組み込む。
【００１９】
１９９９年８月１６日に「SEMANTIC  CACHING」なる名称でChanda  Dharapのために出願された米国特許出願番号第０９／３７４，６９４（代理人整理番号ＰＨＡ２３，７３７）。これは、公開特許ＷＯ０１１３２６５として公開された。この文書は、リソースの意味タイプに基づいたリソースのキャッシングに関する。キャッシング管理方法は、様々な意味タイプについて様々なキャッシングポリシーを用いることによって、各意味タイプについてカスタマイズされる。ニュース及び天気といった動的情報を有すると予想されることが可能な意味タイプは、アクティブキャッシングポリシーが使用され、このポリシーでは、キャッシュメモリにおけるリソースは、そのリソースがキャッシュメモリ内にあった時間の継続時間に基づいて交換のために選択される。対照的に、百科事典情報といった静的リソースを有すると予想されることが可能な意味タイプは、ＬＲＵ（一番最近に使用したもの）及びＬＦＵ（一番使われていないもの）といったより保守的なキャッシング方法を使用する。この方法は、リソースがキャッシュメモリの中にあり続ける継続時間に実質的に関係がない。更に、通信された電子メールメッセージ、ニュースグループメッセージ等の一部の意味タイプは、複数の方法の組み合わせであるキャッシングポリシーを使用してもよい。この複数の方法の組み合わせでは、リソースは、動的キャッシングポリシーを有するアクティブキャッシュから、あまり動的キャッシングポリシーではなくなるより静的なキャッシュに進歩する。意味コンテンツタイプとそのタイプに関連付けられるキャッシングポリシーの関係は、事前に決定されることが可能であるか、又は、ユーザによって直接決定され得るか、又は、少なくとも部分的にリソースとのユーザインタラクションのユーザ履歴及びプロファイルに基づいて決定され得る。
【００２０】
２０００年３月６日に「PERSONALIZING  CE  EQUIPMENT  CONFIGURATION  AT  SERVER  VIA  WEB-ENABLED  DEVICE」なる名称でErik  Ekkel外のために出願された米国特許出願番号第０９／５１９，５４６（代理人整理番号ＵＳ００００１４）。これは、公開特許ＷＯ０１５４４０６として公開された。この文書は、インターネット上のアプリケーションサーバに設定を委託することによって消費者によるＣＥ機器の設定を容易にすることに関連する。消費者は、例えば、ＰＣ又はセットトップボックス或いはデジタル電話機といったインターネットイネーブルされた装置の好適なユーザインタフェースを介して特定のインタラクティブウェブページに自分の好みを入力する。アプリケーションサーバは、入力された好みに基づいて制御データを生成し、その制御データをＣＥ機器自体又はインターネットイネーブルされたデバイスにダウンロードする。
【００２１】
２０００年７月２６日に「SERVER-BASED  MULTI-STANDARD  HOME  NETWORK  BRIDGING」なる名称でJean  Moonen及びEugene  Shteynのために出願された米国特許出願番号第０９／６１６，６３２（代理人整理番号ＵＳ０００１８４）。これは、公開特許ＷＯ０２０９３５０として公開された。この文書は、第１のデバイスクラスタと第２のデバイスクラスタを結合するための家庭用ネットワークにおけるブリッジに関する。クラスタは、様々なソフトウェアアーキテクチャを有する。ブリッジは、インターネット上のサーバに接続される。このサーバは、一部の規格セットについてのルックアップサービスを提供し、ブリッジが、第１のクラスタにおけるデバイスが第２のクラスタとインタラクトを可能にするための適切な変換モジュールを見つけ且つダウンロードすることを可能にする。
【図面の簡単な説明】
【００２２】
【図１】本発明における家庭用ネットワークシステムを示すブロック図である。
【図１】
2007521552.tif 000003
【手続補正書】
【提出日】平成17年12月27日(2005.12.27)
【手続補正１】
【補正対象書類名】特許請求の範囲
【補正対象項目名】全文
【補正方法】変更
【補正の内容】
【特許請求の範囲】
【請求項１】
家庭用ネットワーク上の電子コンテンツ情報のバックアップを選択的に作成することを可能にする方法であって、
前記コンテンツ情報の相対重要性を自動的に決定する段階と、
前記決定された相対重要性の制御下で前記バックアップを記憶する段階と、
を有する方法。
【請求項２】
前記相対重要性を決定する段階は、前記コンテンツ情報のソースを自動的に決定する段階を有する請求項１記載の方法。
【請求項３】
前記相対重要性を決定する段階は、前記コンテンツ情報のファイル形式を自動的に決定する段階を有する請求項１記載の方法。
【請求項４】
前記相対重要性を決定する段階は、前記コンテンツ情報の意味属性を自動的に決定する段階を有する請求項１記載の方法。
【請求項５】
前記決定された相対重要性に対応する記憶モードを決定する段階を有する請求項１記載の方法。
【請求項６】
前記記憶モードを決定する段階は、前記家庭用ネットワークが利用可能な複数の記憶構成要素のうちの関連の１つの記憶構成要素を決定する段階を有する請求項５記載の方法。
【請求項７】
前記記憶モードを決定する段階は、前記家庭用ネットワークが利用可能な複数の記憶構成要素のうちの様々な記憶構成要素の間で複数のコピーを分配するか否か決定する段階を有する請求項５記載の方法。
【請求項８】
どのコンテンツ情報が、バックアップコピーを有するのか全体像を管理する段階を有する請求項１記載の方法。
【請求項９】
家庭用ネットワーク上の電子コンテンツ情報のバックアップの選択的作成の制御のためのソフトウェアであって、
前記コンテンツ情報の相対重要性を自動的に決定し、
前記決定された相対重要性の制御下で前記バックアップの記憶を制御するよう動作可能であるソフトウェア。
【請求項１０】
前記相対重要性は、前記コンテンツ情報のソースに依存する請求項９記載のソフトウェア。
【請求項１１】
前記相対重要性は、前記コンテンツ情報のファイル形式に依存する請求項９記載のソフトウェア。
【請求項１２】
前記相対重要性は、前記コンテンツ情報の意味属性に依存する請求項９記載のソフトウェア。
【請求項１３】
前記決定された相対重要性に対応する記憶モードを決定するよう動作可能である請求項９記載のソフトウェア。
【請求項１４】
前記家庭用ネットワークが利用可能な複数の記憶構成要素に基づいて前記記憶モードを決定するよう動作可能である請求項１３記載のソフトウェア。
【請求項１５】
前記家庭用ネットワークが利用可能な複数の記憶構成要素のうちの様々な記憶構成要素の間で複数のコピーを分配するかどうか決定するよう動作可能である請求項１３記載のソフトウェア。
【請求項１６】
どのコンテンツ情報が、バックアップコピーを有するのか全体像を管理するよう動作可能である請求項９記載のソフトウェア。
【国際調査報告】
2007521552.tif 000004
2007521552.tif 000005
2007521552.tif 000006